(57)【要約】この発明は、体外血液処理装置の如き、医療用処理装置の処理ユニット（１）中、特に透析装置の透析機中、に流体を運ぶ為の装置及び方法に関係している。この発明に従った装置及びこの発明に従った方法は、処理ユニットに供給される流体が処理ユニットを含んでいる流体回路（ＩＩ）中で循環するという事実に基づいている。処理ユニットへと供給された又は処理ユニットから運び去られた新たな流体及び使用された流体の釣り合いの目的の為に、処理ユニットを含んでいる流体回路中に組み込まれることができる、釣り合い室（６）を伴った釣り合いユニット（５）の使用が行われている。従って、流体回路へと新たな流体を連続して供給する又は流体回路から使用された流体を連続して運び去ることが可能である。新たな流体及び使用された流体の供給及び排出は、処理ユニットを介して流体回路中を循環する流体の流量からは異なった流量で行うことができる。【選択図】  図１
2013532018.tif 000002
【特許請求の範囲】
【請求項１】
少なくとも１つの釣り合い室（６）を備えている釣り合いユニット（５）と、
流体源（７）から釣り合い室中へと流体を供給する為に釣り合い室へと通じている第１供給ライン（８）、及び釣り合い室から排出場所（３２）中へと流体を排出する為に釣り合い室から導き出されている第１排出ライン（９）と、
釣り合い室から処理ユニット（１）中へと流体を排出する為に釣り合い室から導き出されている第２排出ライン（１１）、及び処理ユニットから釣り合い室中へと流体を供給する為に釣り合い室へと通じている第２供給ライン（１２）と、
釣り合い室中へと及び／又は釣り合い室の外へと流体を運ぶ為の手段（１０，１４，１５）、及び釣り合い室中への流体の供給及び／又は釣り合い室からの流体排出を阻止する為の手段（１９，２０，２１，２２）と、
流体を運ぶ為の手段（１０，１４，１５）及び流体の供給及び／又は排出を阻止する為の手段（１９，２０，２１，２２）を制御する為の制御ユニット（１８）と、
を伴っていて、
第２排出ライン（１１）を第２供給ライン（１２）へと連結しており、処理ユニット（１）を含んでいる流体回路（ＩＩ）が創出されて、それにより釣り合い室（６）を完全に又は部分的に迂回するよう設計されている、迂回路（１３）により特徴付けられている、
医療用処理装置の処理ユニット中に流体を運ぶ為の装置。
【請求項２】
流体を運ぶ為の手段（１０，１４，１５）及び流体の供給及び／又は排出を阻止する為の手段（１９，２０，２１，２２）が、処理ユニット（１）を含んでいる流体回路（ＩＩ）中の流体の流れが所定の流量に調節されることができるよう設計されている、ことを特徴とする請求項１に従っている装置。
【請求項３】
制御ユニット（１８）が、
連続した動作サイクルの第１動作サイクルの第１動作工程においては、釣り合い室（６）が第１供給ライン（８）を介して流体源（７）からの流体で満たされ、それにより流体が第１排出ライン（９）介して排出場所（３２）へと釣り合い室の外に移動され、それにより流体が処理ユニットを含んでいる流体回路（ＩＩ）中で釣り合い室を完全に迂回して循環し、そして、
連続した動作サイクルの第２動作工程においては、流体が釣り合い室（６）から第２排出ライン（１１）を介して運び去られ、そして流体が釣り合い室へと第２供給ライン（１２）を介して供給され、それにより流体が処理ユニットを含んでいる流体回路（ＩＩ）中で循環する、
よう設計されている、ことを特徴とする請求項２に従っている装置。
【請求項４】
第２排出ライン（１１）が、流れの方向において、第１及び第２区域（１１Ａ，１１Ｂ）を備えていて、第２供給ライン（１２）が、流れの方向において、第１及び第２区域（１２Ａ，１２Ｂ）を備えていて、それによって迂回路（１３）の一方の連結が第２排出ラインの第１及び第２区域間の連結地点（１１Ｃ）に連結されているとともに、迂回路（１３）の他方の連結が第２供給ラインの第１及び第２区域間の連結地点（１２Ｃ）に連結されている、ことを特徴とする請求項１乃至３の何れか１項に従っている装置。
【請求項５】
流体を運ぶ為の手段が、第１供給ライン（８）中に配置されていて第１ポンプ（１０）を備えている、ことを特徴とする請求項１乃至４の何れか１項に従っている装置。
【請求項６】
流体を運ぶ為の手段が、第２排出ライン（１１）の第１区域（１１Ａ）中に配置されている第２ポンプ（１４）及び第２排出ライン（１１）の第２区域（１１Ｂ）中に配置されている第３ポンプ（１５）を備えている、ことを特徴とする請求項１乃至５の何れか１項に従っている装置。
【請求項７】
流体の供給及び／又は排出を阻止する為の手段が：
第１供給ライン（８）中に配置された第１遮断要素（１９）と、
第１排出ライン（９）中に配置された第２遮断要素（２０）と、
第２排出ライン（１１）中に配置された第３遮断要素（２１）と、
第２供給ライン（１２）中に配置された第４遮断要素（２２）と、
を備えている、ことを特徴とする請求項１乃至６の何れか１項に従っている装置。
【請求項８】
流体を運ぶ為の手段及び流体の供給及び／又は排出を阻止する為の手段が、迂回路（１３）中に配置されている第５遮断要素（２３）を備えている、ことを特徴とする請求項１乃至７の何れか１項に従っている装置。
【請求項９】
連続した動作サイクルの第１動作サイクルの第１動作工程において、第１及び第２遮断要素（１９，２０）が開かれるとともに第３及び第４遮断要素（２１，２２）が閉じられ、第１及び第３ポンプ（１０，１４）が動作されており、そして、
連続した動作サイクルの第２動作工程において、第１及び第２遮断要素（１９，２０）が閉じられるとともに第３及び第４遮断要素（２１，２２）が開かれ、第２及び第３ポンプ（１４，１５）が動作されている、
ように制御ユニット（１８）が設計されている、ことを特徴とする請求項５乃至８の何れか１項に従っている装置。
【請求項１０】
第２動作工程においては、第２及び第３ポンプ（１４，１５）が異なった送出モードで動作されるように制御ユニット（１８）が設計されている、ことを特徴とする請求項９に従っている装置。
【請求項１１】
第２動作工程においては、第３ポンプ（１５）が第２ポンプ（１４）の送出量よりも大きな送出量で動作されるように制御ユニット（１８）が設計されている、ことを特徴とする請求項９又は１０に従っている装置。
【請求項１２】
請求項１乃至１１の何れか１項に従っている装置を伴った体外血液処理の為の装置。
【請求項１３】
血液処理装置が透析装置であり、血液処理ユニットが透析機（１）である、ことを特徴とする請求項１２に従っている体外血液処理装置。
【請求項１４】
連続した動作サイクルの第１動作サイクルの第１動作工程においては、釣り合い室（６）が流体で満たされ、それにより流体が釣り合い室の外へ移動し、その間に処理ユニット（１）を含んでいる流体回路（ＩＩ）中で流体が釣り合い室を完全に迂回して循環し、
連続した動作サイクルの第２動作工程においては、流体が釣り合い室（６）から処理ユニット（１）を含んでいる流体回路（ＩＩ）へと供給されるとともに流体が流体回路から釣り合い室中へと運び去られ、その間に流体が流体回路中を循環している、
ことを特徴とする、医療用処理装置の処理ユニット、特に透析装置の透析機、中へと流体を運ぶ為の方法。
【請求項１５】
第２動作工程においては、流体が釣り合い室（６）から処理ユニット（１）の上流で流体回路（ＩＩ）へと供給され、そして、第２動作工程においては、流体が処理ユニット（１）の下流で流体回路（ＩＩ）から釣り合い室（６）へと供給される、ことを特徴とする請求項１４に従っている方法。
【請求項１６】
処理ユニット（１）を含んでいる流体回路（ＩＩ）中を流体が循環する送出量が、流体が釣り合い室（６）から流体回路へと供給されるとともに流体が流体回路から釣り合い室中へと運びさられる送出量よりも大きい、ことを特徴とする請求項１４又は１５に従っている方法。
【発明の詳細な説明】
【技術分野】
【０００１】
この発明は、医療用処理装置の処理ユニット中、特に透析装置の透析機中、に流体を運ぶ為の装置及び方法に関係している。さらには、この発明は、血液処理装置、特に透析装置、の処理ユニット、特に処理機、中へと流体を運ぶ為の装置を備えている、体外血液処理装置、特に透析装置、に関係している。
【背景技術】
【０００２】
流体が供給される処理ユニットを備えている種々の種類の処理装置が知られている。知られている処理装置は、例えば、血液処理装置を含む。血液処理の間には、患者の血液は血液処理ユニットを介して体外血液回路中を流れる。血液透析（haemodialysis），血液濾過（haemofiltration），そして血液完全濾過（haemodiafiltration）の為の装置の場合、血液処理ユニットは、半浸透過膜により血液室と透析流体室とに分離されている透析機又はフィルターである。透析処理の間には、血液が血液室を介して体外血液回路中を流れ、その間に透析流体は透析機の透析流体室を介して透析流体回路中を流れる。
【０００３】
大きな交換量の為には、全処理時間の間に患者から取り除かれる流体と患者へと供給された流体との正確な釣り合いの為の、血液処理の為の知られている方法及び装置の必要がある。重量（gravimetric）及び容積（volumetric）釣り合い装置が従来技術に所属する。
【０００４】
容積釣り合いによる血液完全濾過（haemodiafiltration）装置は、例えばドイツ国公開２６３４２３８号公報（DE2634238A1）から知られている。この知られている血液完全濾過（haemodiafiltration）装置の釣り合い装置は、移動可能隔壁により２つの室へと分割されている容積固定中空体を備える。個々の室は、新しい及び使用された透析流体の為の供給ライン及び排出ラインが配置される入口及び出口と、個々のライン中に組み込まれている遮断要素と、を備えている。さらには、新たな及び使用された透析流体を運ぶ為のポンプと、２つの室の相互充填を許容する制御ユニットの提供が行なわれている。
【０００５】
透析機の透析流体室を通過する透析流体の連続した流れを確実にすることができるように、２つの釣り合い室が実際には平行に連結されていて、これら釣り合い室は透析機に新たな透析流体を交互に供給する。２つの釣り合い室を伴っている釣り合いユニットが、例えばドイツ国２８３８４１４公報（DE2838414）から知られている。
【０００６】
透析処理の間、透析流体は典型的には５００ｍｌ／ｍｉｎまでの量で流れ、しかしながら所定の処理状況により最大で１０００ｍｌ／ｍｉｎまでの量であることができる。４時間の透析期間の場合には、これは、典型的には１２０Ｌ間までの量の透析流体要求を意味し、所定の処理状況次第では２００Ｌを越えることもまた出来る。
【０００７】
透析機中の大きな流体の要求の為には、溶液のかなり大きな量の貯蔵を避ける為に、機械中で濃縮物及び純水（RO water）からの透析物の準備が設定されている。純水は医院中で集中的に入手可能であり、ライン（line）を介して複数の透析場所中の複数の透析機械へと分配される。
【０００８】
患者の為の集中治療支援を必要としている、例えば事故後に生じることができる、急性腎臓不全の処理においては、純粋連結が一般的には存在していない。その時、透析流体は、容器、例えばキャニスター（canister）又はバッグ（bag）、により機械へと入手させることができる。
【０００９】
取扱いコストを低く保つ為に、透析流体の為の要求を減少させる試みが、特に急性腎臓不全のための集中治療支援の場合に、行われた。これは、時間の或る長さの間に透析機を介して透析流体が再循環されるという事実により達成された。透析物の要求は従って、１００ｍｌ／ｍｉｎ以下にある値まで減少されることができる。
【００１０】
再循環回路を伴った血液処理装置は、例えば米国５６８５９８８（US 5685988）から、知られている。透析流体の再循環は、しかしながら、血液処理パラメータの決定の為にのみ使用されなければならない。
【００１１】
この発明の基礎になっている問題は、医療用処理装置の処理ユニット中へと、特に透析装置の透析機中へと、流体を運ぶ為の装置を提供することであり、この装置により透析流体の為の要求が減少されることができる。この発明のさらなる問題は、医療用処理装置の血液処理ユニット中へと流体を運ぶ為の方法を提供することであり、この方法は透析流体為の要求における減少を許容する。この発明の問題はまた、流体を運ぶ為のこのような装置を伴った体外血液処理装置を提供することである。
【発明の概要】
【００１２】
この発明に従えば、これらの問題に対する解決は、複数の独立請求項の特徴により行われる。この発明の好適な実施形態は、従属請求項の主題である。
【００１３】
この発明に従った装置及びこの発明に従った方法は、処理ユニットに供給される流体が処理ユニットを含んでいる流体回路中を循環するという事実に基づいている。処理ユニットへと供給されるか又は処理ユニットから運び去られる新たな及び使用された流体を釣り合わせる為に、原則的には１つ又は２つの釣り合い室を備えることができる釣り合いユニットの使用が行われる。
【００１４】
この発明に従った装置及びこの発明に従った方法は、釣り合いユニットの釣り合い室又は釣り合いユニットの２つの釣り合い室が、処理ユニットを含んでいる流体回路中に組み込まれることができることにおいて特徴付けられている。従って、新たな流体を連続して流体回路へと供給すること及び使用された流体を連続して流体回路から排出することが可能である。新たな及び使用された流体の供給及び排出は、流体回路中で処理ユニットを介し流体が循環する流量から異なった流量で行うことができる。結果として、流量の比率に従い、「新たな流体」と「使用された流体」との間で濃度で位置する「流体」が流体回路中に設定されることになる。新たな又は使用された流体の供給及び排出とは無関係に、流体（限外濾過物（ultrafiltrate））もまた、血液処理ユニットを含んでいる流体回路、特に透析機、から取り除かれることができる。
【００１５】
この発明の好適な実施形態においては、流体回路中で処理ユニットを介して流体が循環する流量は、流体回路へと供給される及び流体回路から排出される流量よりも大きい。
【００１６】
この発明に従った装置は、釣り合い室から処理ユニットへと通じている排出ラインを処理ユニットから釣り合い室へと通じている供給ラインに連結している迂回路（bypass）を備えている。迂回路は、処理ユニットを含んでいる流体回路中への新たな流体の連続した供給を許容するばかりでなく、釣り合いユニットの釣り合い室が新たな流体で満たされていて、使用された流体がそれにより移動された時に血液処理ユニットを通る流体の流れの維持もまた許容する。２つの交互に動作している釣り合い室を伴う釣り合い室が使用されたならば、この利点は疑いもなく集中されない。従ってこの発明の特に好適な実施形態は、ただ１つの釣り合い室を伴った釣り合いユニットを提供する。この特に好適な実施形態においては、迂回路は、複数の釣り合い室の切り換えの間に血液処理ユニットを通した流体の流れが阻止されないことを確実にしている。従って、釣り合いユニットの単純化された設計という結果になる。
【００１７】
釣り合い室中へと又は釣り合い室の外へと流体を運ぶ為の手段、及び釣り合い室中への流体の供給又は釣り合い室の外への流体の排出を阻止する為の手段は、異なって設計されることができる。その中にホースライン（hose line）が挿入されることができ知られている噛み合いポンプ（occluding pump）が、流体を運ぶ為に好ましくは使用される。流体の供給又は排出の阻止の為に、ライン中に配置されていて知られている電磁的に又は空気圧で動作される遮断要素の使用が好適に行われる。制御ユニットが、流体を運ぶ為の手段及び流体の供給又は排出を阻止する為の手段を制御する。噛み合いポンプ（occluding pump）は停止状態でホースライン（hose line）の挟み込みを開放するので、噛み合いポンプ（occluding pump）もまた遮断要素に代わることができる。
【００１８】
特に好適な実施形態においては、流体を運ぶ為の手段が、流体源から釣り合い室へと通じている供給ライン中に配置された第１ポンプを備える。さらには、運び手段が、釣り合い室から血液処理ユニットへと通じている排出ライン中に配置されている２つのさらなるポンプを備えている。これら２つのポンプの一方は迂回路の一方の連結が排出ラインに連結されている地点へと通じている排出ラインの区域中に配置されていて、他方のポンプは迂回路の連結地点から遠ざかるよう導きかれている排出ラインの区域中に配置されている。排出ライン中のこれら２つのポンプの流量は、流体回路へと供給される新たな流体の及び流体回路から運び出される使用された流体の流量を決定する。
【００１９】
特に好適な実施形態においては、流体の供給及び／又は排出を阻止する為の手段が、流体源から釣り合い室へと通じている第１供給ライン中に配置されている第１遮断要素，釣り合い室から遠ざかるよう導かれているとともに排出場所へと通じている第２排出ライン中に配置されている第２遮断要素，釣り合い室から遠ざかるよう導かれているとともに血液処理ユニットへと通じている第２排出ライン中に配置されている第３遮断要素，そして処理ユニットから釣り合い室へと通じている第２供給ライン中に配置されている第４遮断要素を備えている。全ての遮断要素は、制御ユニットにより制御されている。
【００２０】
特に好適な実施形態においては、連続した動作サイクルの第１動作サイクルの第１動作工程においては、第１及び第３ポンプが動作され、第１及び第２遮断要素が開かれるとともに第３及び第４遮断要素が閉じられるよう制御ユニットが設計されている。第１動作工程においては、釣り合い室が新たな流体で満たされ、使用された流体がそれにより移動される。釣り合い室の充填処理の間、処理ユニットを介した流体の流れは阻止されない。第１動作工程は第２動作工程により引き継がれ、そこでは第１及び第２遮断要素が閉じられるとともに第３及び第４遮断要素が開かれ、第２及び第３ポンプが動作される。第２動作工程においては、流体が、血液処理ユニットを含んでいる流体回路中を循環する。新たな流体がまた、そうでなければならないことはないが、流体回路へと供給されるか又は流体回路から運び去られることができる。
【００２１】
さらなる好適な実施形態が、迂回路中への更なる遮断要素の統合を提供する。この遮断要素は、処理が行われる以前のシステムのより良い充填及び通気（venting）の為に機能する。他方、流体回路中の循環はまた迂回路中の遮断要素により阻止されることができる。
【００２２】
この発明の実施形態の複数の例が図面を参照することにより以下に詳細に説明される。
【図面の簡単な説明】
【００２３】
【図１】図１は、透析装置の透析機に透析流体を供給する為の装置を伴っている血液透析装置を非常に簡易に概略的に示しており、ここにおいては動作サイクルの第１動作工程が示されている。
【図２】図２は、図２の血液透析装置を示しており、ここにおいては動作サイクルの第２動作工程が示されている。
【図３】図３は、透析機に透析流体を供給する為の装置を伴っている血液透析装置の実施形態の第２例を非常に簡易に概略的に示している。
【図４】図４は、図３の血液透析装置の別の実施形態を示している。
【図５】図５は、透析装置の実施形態のさらなる例を非常に簡易に概略的に示している。
【図６】図６は、図５の透析装置の別の実施形態を示している。
【発明を実施するための形態】
【００２４】
この発明は、血液処理ユニットとして透析機を備えている血液処理装置の一例を使用して以下に記載される。図１は、血液透析装置の主要構成部分を非常に簡素化して概略的に示している。透析流体を透析機に供給する為の装置は透析装置の構成部位である。
【００２５】
透析装置は、半透過膜（示されていない）により血液室（示されていない）と透析流体室とに分割されている透析機１を備える。その中に血液ポンプ３が組み込まれている血液供給ラインが、患者から透析機１の血液室の入口１Ａへと通じているとともに患者へと通じている血液排出ライン４が透析機１の血液室の出口１Ｂから遠ざかって導かれている。血液処理の間、患者の血液は透析機１の血液室を通って体外血液回路Ｉ中を流れる。
【００２６】
透析機１には、透析機１の透析流体室を通過して流れる透析流体が供給される。透析機１中へと透析流体を運ぶ為の装置が以下に記載される。
【００２７】
使用された透析流体に対する新たな透析流体の釣り合いの為に、実施形態のこの例においては、ただ１つの釣り合い室６を備える釣り合いユニット５の使用が行われている。釣り合い室６は、下側に第１入口６Ａを上側に第１出口６Ｂを備えるとともに、下側に第２入口６Ｃを上側に第２出口６Ｄを備える。
【００２８】
透析流体は、キャニスター（canister）又はバッグ（bag）であることができる透析流体源７中で入手可能である。透析流体源７から遠ざかるよう導かれているのは、釣り合い室６の第１入口６Ａへと通じている第１供給ライン８である。釣り合い室６の第１出口６Ｂから遠ざかるよう導かれているのは、排出場所３２へと通じている第１排出ライン９である。第１供給ライン８中に組み込まれているのは、透析流体源７から釣り合い室６中へと新たな透析流体を運ぶ血液ポンプ１０、特に噛み合いポンプ（occluding pump）、である。
【００２９】
釣り合い室６の第２出口６Ｄから遠ざかるよう導かれているのは、透析機１の透析流体室の入口１Ｃへと通じている第２排出ライン１１である。透析機１の透析流体室の出口１Ｄから遠ざかるよう導かれているのは、釣り合い室６の第２入口６Ｃへと通じている第２供給ライン１２である。
【００３０】
供給ライン及び排出ライン８，９，１１，１２は、ホースライン（hose line）である。第２排出ライン１１は、流れの方向において、第１区域１１Ａ及び第２区域１１Ｂを備えていて、第２供給ライン１２は、流れの方向において、第１区域１２Ａ及び第２区域１２Ｂを備えている。
【００３１】
第２排出ライン１１及び第２供給ライン１２は、迂回路１３を介して連結されている。迂回路１３は、一端が第２排出ライン１１の第１区域１１Ａと第２区域１１Ｂとの間の連結地点１１Ｃに連結されていて、他端が第２供給ライン１２の第１区域１２Ａと第２区域１２Ｂとの間の連結地点１２Ｃに連結されている、ラインである。透析機１の透析流体室を含む流体回路ＩＩが、迂回路１３により創出されている。流体回路ＩＩは、迂回ライン１３，第２排出ライン１１の第２区域１１Ｂ，透析機１の透析流体室，そして第２供給ライン１２の第１区域１２Ａを備える。
【００３２】
第２ポンプ１４が第２排出ライン１１の第１区域１１Ａ中に組み込まれているとともに、第３ポンプ１５が第２排出ライン１１の第２区域１１Ｂ中に組み込まれている。第２供給ライン１２の第１区域１２Ａから遠ざかるよう導かれているのは限外濾過物ライン（ultrafiltrate line）１６であり、その中には第４ポンプ１７が組み込まれていて、それにより流体（限外濾過物（ultrafiltrate））が流体回路ＩＩから引き出されることができる。４つのポンプ１０，１４，１５，１７が制御ライン１０´，１４´，１５´，１７´を介して制御ユニット１８へと連結されている。この例においては、制御ユニット１８は、透析装置の中央制御ユニットの構成部位である。透析装置の中央制御ユニット１８はまた、制御ライン３´を介して血液ポンプ３へと連結されている。
【００３３】
第１遮断要素１９が第１ポンプ１０と釣り合い室６との間で第１供給ライン８中に組み込まれていて、第２遮断要素２０が第１排出ライン９中に組み込まれている。第３遮断要素２１が釣り合い室６と第２ポンプ１４との間で第２排出ライン１１中に組み込まれていて、第３遮断要素２２が連結地点１２Ｃと釣り合い室６との間で第２供給ライン１２中に組み込まれている。遮断要素１９，２０，２１，２２は電磁的に動作されるホースクランプ（hose clamp）であり、これらは制御ライン１９´，２０´，２１´，２２´を介して中央制御ユニット１８へと連結されている。
【００３４】
中央制御ユニット１８は以下の如くしてポンプ１０，１４，１５を制御する。透析装置は、夫々が２つの動作工程を備えている連続したサイクルで動作される。図２は動作サイクルの第１動作工程及び第２動作工程を示している。
【００３５】
第１動作工程は釣り合い室６の充填を備えており、その間に透析流体は透析機１を通して流れている。中央制御ユニット１８は、第１及び第２遮断要素１９，２０を開き、そして第３及び第４遮断要素２１，２２を閉じる。制御ユニット１８は、それによって、第１ポンプ１０及び第３ポンプ１５を動作させる。第２ポンプ１４は停止している。第２噛み合いポンプ（occluding pump）１４が停止しているので、第３遮断要素２１はまた開かれることができる。
【００３６】
第１ポンプ１０は透析流体源７の外の新たな透析流体を、前回の動作サイクルの第２動作工程中に使用された透析流体で満たされている釣り合い室６中へと運ぶ。釣り合い室６が新たな透析流体で満たされている間に、使用された透析流体は第１排出ライン９を介して排出場所３２中へと移動される。第１ポンプ１０は、釣り合い室６中において使用された透析流体が新たな透析流体により完全に置き換えられる時まで動作する。新たな透析流体による釣り合い室６の充填の間、透析機１を通る流体の流れは阻止されない。第３ポンプ１５は、第２排出ライン１１の第２区域１１Ｂ，透析機１，第２供給ライン１２の第１区域１２Ａ，そして迂回ライン１３を含む流体回路ＩＩ中で透析流体を運ぶ。釣り合い室６は、可能な限り早く新たな透析流体で満たされなければならず、その結果として透析流体は流体回路中をほんの短い期間で循環する（図１Ａ）。
【００３７】
第１動作工程（図１）は第２動作工程（図２）により引き継がれる。中央制御ユニット１８は、第２動作工程において、第１及び第２遮断要素１９，２０を閉じるとともに第３及び第４遮断要素２１，２２を開く。さらに、制御ユニット１８は第１ポンプ１０を停止させるとともに第２ポンプ１４を動作させる。結果として、第２及び第３ポンプ１４，１５が動作する。制御ユニット１８は、第３ポンプ１５の為の送出量よりも小さな送出量を第２ポンプ１４の為に選択する。結果として、透析流体は流体回路ＩＩ中を、第３ポンプ１５の流量と第２ポンプ１４の流量との間の差に対応している流量で流れる。この流量ＱＤｆａｓｔは比較的高く出来る。
【００３８】
透析流体が透析機１を通って流体回路ＩＩ中を循環している間には、新たな透析流体が流体回路ＩＩへと絶えず供給されていて、使用された透析流体が流体回路１２から絶えず取り除かれている。新たな透析流体が、釣り合い室６の第２出口６Ｄへと連結されている第２排出ライン１１の第１区域１１Ａを介し、第２ポンプ１４により予め選択されている送出量で流体回路ＩＩへと供給される。使用された透析流体は、釣り合い室６の第２入口６Ｃへと連結されている第２供給ライン１２の第２区域１２Ｂを介して流体回路ＩＩから引き出される。透析装置はまた、流体（限外濾過物（ultrafiltrate））が流体回路ＩＩから引き出されることを許容する。制御ユニット１８は、限外濾過（ultrafiltration）の目的の為に限外濾過ポンプ（ultrafiltration pump）１７を始動させる。
【００３９】
第２及び第３ポンプ１４，１５の流量次第で、新たな透析流体は流体回路ＩＩ中を比較的短い又は比較的長い時間に供給されることができ、そして新たな透析流体と使用された透析流体との間の所望の割合が調節されることができる。
【００４０】
この動作サイクルの第２動作工程（図２）は、連続サイクルの第１動作工程（図１）により再び引き継がれる。
【００４１】
図３は透析装置の実施形態の第２例を示しており、それは、中央制御ユニット１８によりまた制御される第５遮断要素２３が迂回路ライン１３中に組み込まれていることのみが図１及び２を参照することにより記載されていた実施形態から異なっている。互いに対尾している部位には、従って、同じ参照番号が設けられている。迂回ライン１３中の遮断要素２３は、透析装置の動作の間に原則として開かれている。遮断要素２３はしかしながら、流体回路ＩＩ中の透析流体の循環を阻止する為に閉じられることができる。
【００４２】
迂回ライン１３中の遮断要素２３は流体システムの充填及び通気（venting）の為に閉じられ、その結果として迂回ラインを通した流体の流れが阻止される。さらには、第２遮断要素２０が閉じられ、その結果として流体は排出場所３２中へと通過できない。ポンプ１０が動作している間には、流体は第１供給ライン８を介して釣り合い室６へと供給される。ポンプ１４及び１５が動作している時には、流体は第２排出ライン１１，透析機１，そして第２供給ライン１２を通って流れることができる。通気（venting）の為に、通気弁（venting valve）３３が、図３中に外観のみが示されている釣り合い室６の上側に設けられている。
【００４３】
図４は、図３の透析装置の代わりの実施形態を示している。図４の実施形態の例は、第２排出ライン１１及び第２供給ライン１２の経路（routing）及び迂回ライン１３の長さによりのみ第３の実施形態から異なっている。互いに対応している部位はまた、同じ参照番号で提供されている。流体システムが満たされた時にその中に空気が蓄積できる無駄な容積を減少させる為に、第２排出ライン及び供給ライン１１，１２が遮断要素２３の連結に直接導かれており、その結果として迂回路１３の容積が最小に減少されることができる。
【００４４】
透析流体を透析機に供給する為のこの発明に従っている装置は、２つの釣り合い室を伴っている釣り合いユニットを無くすことができるという利点を有する。ただ１つの釣り合い室を備えている釣り合いユニットでさえ、使用された透析流体に対する新たな透析流体の釣り合いの間における透析機を通した透析流体の連続した流れを維持することができる。
【００４５】
完全さの為に、図５は、平行に連結されているとともに交互に動作する２つの釣り合い室６Ａ，６Ｂを伴っている釣り合い装置を示している。図５の実施形態の例は、その中に遮断要素２８，２９，３０，３１が夫々組み込まれている夫々の供給ライン及び排出ライン２４，２５，２６，２７を伴っている第２釣り合い室６Ｂが第１釣り合い室６Ａに対し平行に連結されていることが、図１及び図２の実施形態から異なっている。２つの釣り合い室６Ａ，６Ｂを伴っている釣り合いユニット６は、例えばドイツ国２８３８３１４（DE 2838414）中に記載されている如き、知られている方法で動作されている。
【００４６】
図６は、釣り合い室６が柔軟な隔壁６Ｇにより第１半室６Ｅ及び第２半室６Ｆへと分割されていることのみにより、図４の実施形態から異なっている。この実施形態では、第１入口６Ａ及び第２出口６Ｄが第１半室６Ｅに連結されており、第２入口６Ｃ及び第１出口６Ｂが第２半室６Ｆに連結されている。この実施形態においては、釣り合い室６の２つの半室６Ｅ及び６Ｆが新たな及び使用された透析流体で交互に満たされる。互いに対応している部位はまた同じ参照番号で提供されている。この実施形態では、また、流体回路ＩＩが、新たな透析流体での釣り合い室６の充填の間における透析機１を通る透析流体の流れの維持を許容する。一方の半室６Ｅ又は６Ｆが新たな透析流体で満たされている時、使用された透析流体は他方の半室６Ｅ又は６Ｆから取り除かれる。
【図１】
2013532018.tif 000003
【図２】
2013532018.tif 000004
【図３】
2013532018.tif 000005
【図４】
2013532018.tif 000006
【図５】
2013532018.tif 000007
【図６】
2013532018.tif 000008
【国際調査報告】
2013532018.tif 000009
2013532018.tif 000010
2013532018.tif 000011
2013532018.tif 000012
2013532018.tif 000013
2013532018.tif 000014
2013532018.tif 000015
2013532018.tif 000016